(57)【要約】      （修正有）【課題】有効資源を効率良く回収し、その資源を有効活用するＩＣカードを利用したプラスチック製品のリサイクルシステムを提供する。【解決手段】ＩＣカード５を所持する利用者２が持参したプラスチック製品６を回収する店舗１０と、当該プラスチック製品６を油に変換する油化センター３０と、を備え、前記プラスチック製品６を油として再利用するプラスチック製品６のリサイクルシステム１００であって、前記店舗１０は、利用者２によって投入されるプラスチック製品６を回収する回収箱２０と、前記利用者がプラスチック製品６を投入した際に、前記投入されたプラスチック製品６に対応するポイントをＩＣカード５に書き込むＩＣカード書込装置２５と、前記店舗１０における利用者の商品清算時において、前記ＩＣカード５のポイントを読み取り、前記ポイントに基づいてレジ袋６ａを利用者２に提供する。【選択図】図１
2007316903.tif 000002
【特許請求の範囲】
【請求項１】
ＩＣカードを所持する利用者が持参したプラスチック製品を回収する店舗と、当該プラスチック製品を油に変換する油化センターと、を備え、前記プラスチック製品を油として再利用するプラスチック製品のリサイクルシステムであって、
前記店舗は、
前記利用者によって投入されるプラスチック製品を回収する回収箱と、
前記利用者がプラスチック製品を投入した際に、前記投入されたプラスチック製品に対応するポイントを前記ＩＣカードに書き込むＩＣカード書込装置と、
前記利用者が店舗にて商品を購入する清算時において、前記ＩＣカードのポイントを読み取り、前記ポイントに基づいて前記利用者にレジ袋を提供可能か否かを判断するＩＣカード読取装置と、
を具備し、
前記清算時において、前記判断結果に基づいてレジ袋を提供可能である場合は、前記ＩＣカードのポイントに応じてレジ袋を利用者に提供することを特徴とするプラスチック製品のリサイクルシステム。
【発明の詳細な説明】
【技術分野】
【０００１】
本発明は、プラスチック製品のリサイクルシステムに関し、特に、スーパーマーケット等の店舗から一般の家庭に流出するプラスチック製品のリサイクルシステムに関する。
【背景技術】
【０００２】
最近、特に環境保全を目的にリサイクル利用が世の中でも定着し、広範囲の分野に受け入れられてきている。例えば、家電では、廃棄された物から部品を取り出し再利用出来るように予め設計する試みや部品から金属部を取り出し溶かして再利用することがすでに実施されている。
【０００３】
一方、プラスチック製品を別な形で取り出す処理方法も存在する（例えば、特許文献１参照）。例えば、プラスチック製品を油化装置によって油に換えて取り出し、有効利用する方法である。現在では油化装置が大変廉価になり、市場で使用される目処がついている。
【０００４】
また、通常、日常の生活でわれわれが大量に使用しているスーパーなどで買った商品を入れるレジ袋、魚や肉などを収容するトレイなど、一般的にプラスチック製品と呼ばれているものは、ゴミ回収車により収集され、焼却されている。
【特許文献１】特開２００４−３２３６２０号公報
【発明の開示】
【発明が解決しようとする課題】
【０００５】
上記に示すように、一般的にプラスチック製品は油に換えて再利用可能であるものの、焼却されており、資源の損失となっている。また、市町村では、分別ゴミの回収などを行っているものの、住民の分別意識は低く、なかなか徹底できていない。
【０００６】
スーパーなどでは、独自に再利用可能なダンボールなどを回収する回収箱を設置している所もあるが、思うように回収できていないのが現状である。
【０００７】
また、上記油化装置は、コスト的に市場で使用される目処がついているものの、ゴミを回収してプラスチック製品のみを分別するなどの手間をかけていてはコスト的に厳しいものがあり、当該油化装置を利用してプラスチック製品を油として再利用するリサイクルシステムを円滑に回すためには大量のプラスチック製品を効率良く分別して回収する手段が必要である。
【０００８】
本願の目的は、有効資源を効率良く回収し、その資源を有効活用するプラスチック製品のリサイクルシステムを提供することにある。
【課題を解決するための手段】
【０００９】
上記課題を解決するため、請求項１に係るプラスチック製品（６）のリサイクルシステム（１００）は、ＩＣカードを所持する利用者（２）が持参したプラスチック製品を回収する店舗（１０）と、当該プラスチック製品を油に変換する油化センター（３０）と、を備え、前記プラスチック製品を油として再利用するプラスチック製品のリサイクルシステムであって、前記店舗は、利用者によって投入されるプラスチック製品を回収する回収箱（２０）と、前記利用者がプラスチック製品を投入した際に、前記投入されたプラスチック製品に対応するポイントを前記ＩＣカードに書き込むＩＣカード書込装置（２５）と、前記利用者が店舗にて商品を購入する清算時において、前記ＩＣカードのポイントを読み取り、前記ポイントに基づいて前記利用者にレジ袋を提供可能か否かを判断するＩＣカード読取装置（２７）と、を具備し、前記清算時において、前記判断結果に基づいてレジ袋を提供可能である場合は、前記ＩＣカードのポイントに応じてレジ袋（６ａ）を利用者に提供することを特徴とする。
【発明の効果】
【００１０】
請求項１に係る発明によれば、利用者は、プラスチック製品のリサイクルに協力することによって、店舗側からサービスを受けることができるので、多少面倒であっても、回収箱にプラスチック製品を持ち込むことが期待できるので、有効資源としてのプラスチック製品を効率良く回収し、プラスチック製品を油として再利用するリサイクルシステムを円滑に回すことが可能となる。
【発明を実施するための最良の形態】
【００１１】
以下、図１〜図３を参照して、本願に係るプラスチック製品のリサイクルシステム（以下、単に「リサイクルシステム」と称する。）の実施形態について説明する。図１はリサイクルシステムの概略構成図、図２は回収箱の一例を示す図、図３はレジに設置されるリーダ／ライタ装置の一例を示す図である。
【００１２】
―本願のリサイクルシステムの概要―
まず、本願の概要について図１を用いて説明する。
【００１３】
本実施形態のリサイクルシステム１００は、特に、スーパーマーケット等の店舗１０で買った商品を使用後に家庭から廃棄される魚や肉などを収容するトレイ６ａ、商品を持ち帰るためのレジ袋６ｂなどのプラスチック製品６を油として有効利用（再利用）するものである。
【００１４】
具体的には、本実施形態のリサイクルシステム１００は、図１及び図２に示すように、スーパーマーケット等の店舗１０を利用する利用者２が、当該店舗１０で買い物し、当該店舗１０で買った商品を自宅１５で使用後に廃棄されるトレイ６ａやレジ袋６ｂなどのプラスチック製品６を、当該利用者２が店舗１０に再度来店する際に当該店舗１０に持参して、店舗１０に設置された回収箱２０に当該プラスチック製品６を投入する。投入されたプラスチック製品６は店舗１０側で回収されるとともに、図示しない収集運搬業者を介して、油化センター３０に運搬される。当該油化センター３０は、当該プラスチック製品６を油に換え、当該油を需要者に販売し再利用する。
【００１５】
近年、店舗に再利用可能なダンボールなどを回収する回収箱を設置して、リサイクルの促進を利用者に促しているものの、効率よく回収できず、リサイクルシステムを円滑に行うことが困難となっている。
【００１６】
そこで、本実施形態では、プラスチック製品６の回収に協力して頂いた利用者２に対し、当該プラスチック製品６の数や量に応じてサービスを提供し、プラスチック製品を効率よく回収し、リサイクルを円滑に行うようにしている。
【００１７】
具体的には、本実施形態のリサイクルシステム１００では、店舗１０側は、利用者２に対してＩＣカード５を発行し、利用者２が持ってきたプラスチック製品６の数や量に応じて当該ＩＣカード５にポイントを付与するようになっている。利用者２は、そのポイントに応じて、様々なサービスを受けることができるようにしている。このサービスとしては、例えば、レジ袋６ｂの提供である。
【００１８】
このように本実施形態のリサイクルシステム１００は、家庭内で排出されるプラスチック製品６を単に廃棄するのではなく、回収箱２０で回収し、油化センター３０で当該プラスチック製品６を油に換える処理を行い、プラスチック製品６を油として再利用するリサイクルシステムを構築することにより、資源の有効利用を図ることが可能となる。
【００１９】
また、利用者２は、プラスチック製品６のリサイクルに協力することによって、店舗１０側からサービスを受けることができるので、多少面倒であっても、回収箱２０にプラスチック製品６を持ち込むことが期待できるので、有効資源としてのプラスチック製品６を効率良く回収し、リサイクルシステム１００を円滑に回すことが可能となる。
【００２０】
―本願のリサイクルシステムを構成する装置の概要―
本実施形態のリサイクルシステム１００は、図１に示すように、スーパーマーケット等の店舗１０と、店舗１０によって回収されるプラスチック製品６を油として再利用する油化センター３０と、を備えて構築されている。
【００２１】
店舗１０には、回収箱２０、及びリーダ／ライタ装置２５、２７を備えている。当該リーダ／ライタ装置２５、２７は、回収箱２０と店舗１０内のレジ１０ａに設置されている。
【００２２】
まず、回収箱２０は、例えば、店舗１０の入口外側近傍に設置されている。図２に示すように、回収箱２０は立体形状をした箱体２０ａを有している。当該箱体２０ａの上端部には、所定のプラスチック製品６を分別して投入するための複数の開口２１〜２３を有しており、当該箱体２０ａの内部は、仕切壁２４によって複数の部屋に区分けされている。当該複数の部屋は、開口２１〜２３に対応して設けられており、利用者によって投入されるプラスチック製品６が分別して収集されるようになっている。また、回収箱２０は、その裏側に、例えば、開口２１〜２３から投入されたプラスチック製品６を外部に排出するための図示しない蓋を備えている。当該開口２１〜２３は、それぞれ投入するプラスチック製品の形状を有していることが好ましい。例えば、レジ袋６ｂは丸めて投入されることを基本として円形状に形成され、トレイ６ｂなどは、略長方形に形成されていると良い。このようにすれば、形状の異なるプラスチック製品を分別して回収することができるので、一端、プラスチック製品を回収した後に、当該プラスチック製品の種類別に分別作業を行う手間を省くことが可能となる。
【００２３】
また、回収箱２０に形成されているそれぞれの開口２１〜２３には、当該開口２１〜２３をそれぞれ開閉するための図示しない開閉装置が設けられている。また、開口２１〜２３近傍には、投入されたプラスチック製品６の数をカウントするための図示しないカウント装置が回収箱２０の内部に備えられている。当該カウント装置は、例えば、赤外線を照射する送信機と当該赤外線を受信する受信機とからなる装置であって、開口２１〜２３から投入されたプラスチック製品６が当該赤外線を遮ることにより、投入されたプラスチック製品６の数がカウントされるものである。
【００２４】
また、回収箱２０の上端部には、リーダ／ライタ装置２５、ＱＲコード読取装置３６が設けられている。リーダ／ライタ装置２５は、ＩＣカード５をその上部に載置することによりＩＣカード５の情報を無線により読み取るとともに、所定の情報を書き込むものである。一方、ＱＲコード読取装置３６は、レジ袋６ｂに印刷されている図示しないＱＲコードを読み取るものである。当該ＱＲコードは、店舗１０を識別するための識別コードなどであり、当該ＱＲコードを読み取ることにより、当該店舗１０から提供されたレジ袋６ｂが回収されたことを店舗１０側で知ることができる。
【００２５】
また、回収箱２０の上端部には、開口２１〜２３近傍及び店舗１０の入口などを撮影するための例えば、カメラなどの撮像装置３１が設置されている。
【００２６】
さらに、回収箱２０の上端部には、利用者２がプラスチック製品６の投入の終了を知らせるための投入終了ボタン２０ｂを備えている。
【００２７】
また、開閉装置と、カウント装置と、リーダ／ライタ装置２５と、撮像装置３１と、投入終了ボタン２０ｂと、は、図示しない制御装置と電気的に接続されており、制御装置によって、前記各装置が統括制御される。
【００２８】
制御装置は、コンピュータとして、演算機能を有するＣＰＵ（Central Processing Unit）、作業用ＲＡＭ、不揮発性メモリ、及び各種処理プログラムやデータを記憶するＲＯＭ等を備えており、例えばＲＯＭに記憶された各種処理プログラムを実行することにより、各装置を制御するとともに、リサイクルシステム全体を統括制御する。
【００２９】
具体的には、開閉装置は、利用者によってＩＣカード５がリーダ／ライタ装置２５に載置され、当該リーダ／ライタ装置２５によってＩＣカード５が認識された際に、制御装置によって当該開閉装置が駆動され、当該開口２１〜２３が開くようになっており、当該ＩＣカード５がリーダ／ライタ装置２５から取り外されたら、制御装置によって当該開閉装置が駆動され、当該開口２１〜２３が閉じるようになっている。
【００３０】
また、制御装置は、カウント装置によってカウントされたプラスチック製品６の数量に応じたサービスポイント（例えば、プラスチック製品３個に対してサービスポイントを１付与するなど）をリーダ／ライタ装置２５によってＩＣカード５に書き込むようになっている。既に、ＩＣカード５にサービスポイントが書き込まれている場合には、当該サービスポイントに、プラスチック製品６の投入によって新たに付与されるサービスポイントを加算して書き込む。
【００３１】
また、制御装置は、ＱＲコード読取装置３６によってＱＲコードが読み込まれる度に、ＩＣカード５には、サービスポイントとは別のレジ袋ポイントをリーダ／ライタ装置２５によって書き込むようになっている。
【００３２】
また、撮像装置３１は、通常は、店舗１０の出入口近傍を撮影するようになっており、回収箱２０に設置されたリーダ／ライタ装置２５によりＩＣカード５が認識された際に、制御装置によって開口２１〜２３近傍を撮影するように駆動されるようになっている。また、撮像装置３１は、ＩＣカード５が利用者２によって取り外されたら、制御装置によって店舗１０の出入口近傍を撮影するように駆動されるようになっている。なお、撮像装置３１に感知器を備え、回収箱２０に人が近づいた際に、開口２１〜２３近傍を撮影するようにしても構わない。
【００３３】
このように開閉装置及び撮像装置２５を設置することで、回収箱２０に余計なゴミなどが投入されるのを抑止することが可能となる。
【００３４】
また、カウント装置の代わりに、投入されたプラスチック製品６の種類別の量や全体量を測定するための図示しない測定装置を回収箱の例えば、下方に備えるようにして、利用者によって投入されたプラスチック製品６の重量に対応するポイントを当該利用者２のＩＣカード５に付与するようにしても構わない。
【００３５】
次に、レジ１０ａに設置されているリーダ／ライタ装置２７は、利用者２から提示されるＩＣカード５からサービスポイントやレジ袋ポイントを読み取ったり新たにサービスポイントポイントやレジ袋ポイントを書き込んだりするものである。
【００３６】
リーダ／ライタ装置２７は、図３に示すように、ＩＣカード５を載置する載置部２７ａ、入力のための数字キー２７ｂ、ＩＣカード５の情報を表示するための表示部２７ｃ、及びＩＣカード５の情報を出力するためのプリンタ２７ｄを備えている。
【００３７】
当該リーダ／ライタ装置２７は、載置部２７ａにＩＣカード５を載置することにより、ＩＣカード５に書き込まれているサービスポイントやレジ袋ポイントを読み取り、その情報を表示部２７ｃに表示するようになっている。具体的には、表示部２７ｃには、サービスポイントに応じたレジ袋６ｂの提供可能枚数（例えば、ポイント２に対して１（枚）など）が表示されるようになっており、レジ袋６ｂを提供できない場合には、０（枚）と表示されるようになっている。また、利用者２へのレジ袋６ｂの提供枚数を数字キー２７ｂにより打ち込むことにより、その枚数に対応するサービスポイントやレジ袋ポイントが既にＩＣカード５に書き込まれているサービスポイントやレジ袋ポイントから減算され、新たにＩＣカード５にサービスポイントやレジ袋ポイントが書き込まれるようになっている。
【００３８】
具体的には、利用者２が店舗１０にて買い物をしてレジ１０ａにおける清算時に、ＩＣカード５を載置部２７ａに載置する。これによって、リーダ／ライタ装置２７の表示部２７ｃには、サービスポイントに応じたレジ袋６ｂの提供可能枚数が表示される。レジ１０ａの担当者は、その表示に基づいて利用者２が買った商品に対して必要なゴミ袋６ｂを利用者に提供する。また、レジ１０ａの担当者は、利用者２に提供したゴミ袋６ｂの数をキー２７ｂを用いて入力する。この入力によって、既にＩＣカード５に書き込まれているサービスポイントやレジ袋ポイントから当該ゴミ袋６ｂの数に対応したサービスポイントやレジ袋ポイントが減算されて、当該減算されたサービスポイントやレジ袋ポイントが新たにＩＣカード５に書き込まれる。
【００３９】
また、レジ１０ａに設置されたリーダ／ライタ装置２７は、例えば、店舗１０の管理室に設置される管理サーバ３５とデータ伝送可能に接続されている。当該管理サーバ３５は、一般的にコンピュータと称される装置が用いられ、当該管理サーバ３５はＩＣカード５に記憶されるサービスポイントを管理するとともに、レジ袋ポイントに基づいてレジ袋６ｂのリサイクル率を算出し、店舗１０におけるレジ袋６ｂのリサイクル率を管理する。当該レジ袋ポイントは、レジ１０ａにおいて提供されたレジ袋６ｂの枚数に応じてレジ袋ポイントが既にＩＣカード５に記憶されているレジ袋ポイントから減算され、一方、回収箱２０にて、利用者がレジ袋６ｂに印刷されたＱＲコードをＱＲコード読取装置３６に読み取らせることによって、そのレジ袋６ｂの枚数に応じてレジ袋ポイントが既にＩＣカード５に記憶されているレジ袋ポイントに加算されるので、リサイクル率１００％であれば、常に、レジ袋ポイントは「０」となる。当該レジ袋ポイントが「マイナス」となる場合は、自宅にて廃棄したか、回収箱２０にてレジ袋６ｂのＱＲコードを読み取らせていないかである。なお、回収箱２０にて、他の店舗のレジ袋のＱＲコードを読み取らせた場合には、レジ袋ポイントが加算されないのはいうまでもない。
【００４０】
管理サーバ３５は、個々の利用者のレジ袋ポイントを逐次集計し、レジ袋のリサイクル率を算出することで、店舗１０側では、店舗１０におけるレジ袋のリサイクル率を容易に把握することが可能となっている。
【００４１】
また、店舗１０は、所定の期間を経て、回収箱２０により回収されたプラスチック製品６を所定の運搬業者を介して、油化センター３０に運搬する。
【００４２】
油化センター３０は、店舗１０によって回収されたプラスチック製品６を油にして、当該油を需要者に提供（販売等）する。
【００４３】
なお、ＩＣカード５に付与されるサービスポイントは、プラスチック製品６のみについてサービスポイントを付与するようにしたが、店舗１０において、買い物をした清算額に応じてサービスポイントを付与するようにしても構わない。
【００４４】
このような場合、レジ１０ａの端末と連動して、清算額に応じて所定のサービスポイントがＩＣカード５に書き込まれるようにすると尚良い。さらに、清算額の、例えば、下一桁の金額を電子マネーとしてＩＣカード５に入力されるようにしても構わない。このようにして溜まったサービスポイント及び電子マネーは、所定の金額まで達したら商品券などと引き換えることができるようにすると良い。また、このサービスポイントは、プラスチック製品によって付与されたサービスポイントとは別のものとしてＩＣカード５に書き込まれるようにしても構わない。具体的には、例えば、電子マネー用のポイントと、割引や商品交換サービス用のサービスポイントと、いうようにポイントの種類を分けてポイントを管理しても良い。
【００４５】
また、店舗１０側のサービスの提供の一例として、本実施形態では、レジ袋６ａを提供するようにしたが、そのポイントに応じて、利用者に対して商品の割引サービスを行うようにしても構わない。さらに、利用者に対してサービスポイントに応じて商品を提供するようにしても構わない。
【００４６】
また、店舗１０側のサービスの提供の一例として、店舗１０に、例えば、特売情報や商品の陳列状態などの情報を提供する情報端末機を設置し、ＩＣカード５を持参した提供者のみが当該情報端末機を使用することができるようにしても構わない。その際、ＩＣカード５に書き込まれた自分のサービスポイントを閲覧可能とし、そのサービスポイントに応じて引き換え可能な商品を提示するようにしても構わない。
【００４７】
次いで、本実施形態のリサイクルシステムの処理の全体の流れについて図１乃至図３を用いて説明する。
【００４８】
利用者２は、店舗１０で買った商品を消費して廃棄される魚や肉などがパックされたトレイ６ａ、店舗から提供されたレジ袋６ｂなどのプラスチック製品６を、店舗１０に行く際に店舗から発行されたＩＣカード５と一緒に持参する。
【００４９】
次いで、利用者２は、回収箱２０に設置されているリーダ／ライタ装置２５にＩＣカード５を載置して、回収箱２０に自宅から持参したプラスチック製品６を投入する。また、レジ袋６ｂは、ＱＲコード読取装置３６によってレジ袋６ｂに印刷されているＱＲコードを読み取らせた後、回収箱２０投入される。その際、ＩＣカード５には、リーダ／ライタ装置２５によって、回収箱２０に投入されたプラスチック製品６の数や量に応じてサービスポイントやレジ袋ポイントが既にＩＣカード５に書き込まれているサービスポイントやレジ袋ポイントに加算されて書き込まれる。
【００５０】
次いで、利用者２は、店舗１０にて買い物をした商品を清算する際に、レジ１０ａに設置されているリーダ／ライタ装置２７にＩＣカード５を載置する。利用者２は、ＩＣカード５に書き込まれているサービスポイントに応じて店舗１０からレジ袋６ａの提供を受けることができる。なお、このとき、サービスポイントが無い場合には、レジ袋６ａは現金で購入することとなる。また、ＩＣカード５には、レジ１０ａで提供されたレジ袋６ｂの数に応じて、リーダ／ライタ装置２５によって、サービスポイントやレジ袋ポイントが既にＩＣカード５に書き込まれているサービスポイントやレジ袋ポイントから減算されて書き込まれる。
【００５１】
なお、回収箱２０に投入されたプラスチック製品６は、所定の期間経過後、例えば、市町村が管理する油化センター３０に持ち込まれる。油化センター３０では、収集されたプラスチック製品を油に換え、当該油を販売などして再利用する。
【００５２】
このように、家庭内で排出されるプラスチック製品６を単に廃棄するのではなく、回収箱２０で回収し、油化センター３０で当該プラスチック製品６を油に換える処理を行い、プラスチック製品６を油として再利用するリサイクルシステムを構築することにより、資源の有効利用を図ることが可能となる。
【００５３】
また、利用者２は、プラスチック製品６のリサイクルに協力することによって、店舗１０側からサービスを受けることができるので、多少面倒であっても、回収箱２０にプラスチック製品６を持ち込むことが期待できるので、有効資源としてのプラスチック製品６を効率良く回収し、リサイクルシステムを円滑に回すことが可能となる。
【００５４】
次いで、本実施形態のリサイクルシステムの回収箱における処理の流れについて図１乃至図３を用いて説明する。
【００５５】
制御装置は、回収箱２０に設置されたリーダ／ライタ装置２５にＩＣカード５が載置されたか否かを判断する。この判断が否定されたらＩＣカード５が載置されるまで待機する。
【００５６】
次いで、制御装置は、前記判断が肯定されていることを条件に撮像装置３１及び開閉装置を駆動し、撮像装置３１の向きを回収箱２０側に向けるとともに回収箱２０の開口２１〜２３口を開口する。
【００５７】
次いで、制御装置は、利用者２によってプラスチック製品６が投入されると、カウント装置によってそのプラスチック製品６の個数がカウントされる。その際、ＱＲコード読取装置３６がレジ袋６ｂに印刷されたＱＲコードを読み取ると、制御装置は、そのＱＲコードが店舗１０から提供されたレジ袋６ｂであるか否かを判断し、肯定されれば、制御装置は、読み取られたＱＲコードの個数に応じて予め定められているレジ袋ポイントを既にＩＣカード５に書き込まれているレジ袋ポイントに加算して書き込む。なお、読み取られたＱＲコードが店舗１０のレジ袋でない場合は、レジ袋ポイントは書き込まれない。
【００５８】
次いで、制御装置は、利用者２による投入終了ボタン１０ｂの押下を検出し、撮像装置及び開閉装置を駆動し、撮像装置３１の向きを店舗１０の入口側に向けるとともに、回収箱２０の開口２１〜２３口を閉める。
【００５９】
次いで、制御装置は、カウントされたプラスチック製品６の個数に応じて予め定められているサービスポイントを既にＩＣカード５に書き込まれているサービスポイントに加算して書き込み、処理を終了する。
【００６０】
次いで、本実施形態のリサイクルシステムの店舗内における処理の流れについて説明する。
【００６１】
レジ１０ａに設置されたリーダ／ライタ装置２７は、ＩＣカード５が載置されたか否かを判断し、この判断が否定されればＩＣカード５が載置されるまで待機する。
【００６２】
次いで、リーダ／ライタ装置２７は、ＩＣカード５に書き込まれているサービスポイントを読み取り、レジ袋６ａを提供可能か否かを判断する。次いで、その判断結果を表示部２７ｃに出力する。当該判断結果は、例えば、提供可能なレジ袋６ａの枚数を提示する。なお、サービスポイントが足りなくて提供不可の場合には、例えば、０枚と表示する。
【００６３】
レジ１０ａの担当者は、その結果に基づいて、利用者２にレジ袋６ａを提供する。その際、担当者は、リーダ／ライタ装置２７の入力キー２７ｂにより利用者２に提供したレジ袋６ａの数を入力する。
【００６４】
リーダ／ライタ装置２７は、そのレジ袋６ａの数に対応する予め定められているサービスポイントやレジ袋ポイントを既にＩＣカード６に書き込まれているサービスポイントやレジ袋ポイントから減算してＩＣカード５に書き込み、当該データをサーバ装置３５に送信して、処理を終了する。
【００６５】
また、近年、学校などでプラスチック製品を回収することも考えられるが、その場合には、学校ごとにＩＣカードを発行しておき、プラスチック製品が学校単位で油化センターに持ち込まれた場合において、当該プラスチック製品の量に対応するポイントをＩＣカードに書き込むようにする。
【００６６】
市町村などでは、このような学校に対して、所定のポイントが溜まったら所定のサービスを提供するようにすると尚良い。
【図面の簡単な説明】
【００６７】
【図１】リサイクルシステムの概略構成図である。
【図２】回収箱の一例を示す図である。
【図３】レジに設置されるリーダ／ライタ装置の一例を示す図である。
【符号の説明】
【００６８】
２  利用者
５  ＩＣカード
６  プラスチック製品
６ａ  レジ袋
１０  店舗
２５、２７  リーダ／ライタ装置
３０  油化センター
１００  リサイクルシステム
【図１】
2007316903.tif 000003
【図２】
2007316903.tif 000004
【図３】
2007316903.tif 000005